(57)【要約】【課題】装置の大型化の抑制と生産性の低下の防止とが図られた原稿読取装置を提供する。【解決手段】搬送される向きが統一されることで原稿の幅が互いに異なる原稿についての原稿サイズの認識が、これら原稿の搬送される向きが統一されていることを条件に、搬送されてくる原稿の幅の検知のみで正確に行なわれる。【選択図】　　　　図３
2004107018.tif 000002
【特許請求の範囲】
【請求項１】
原稿が配置される原稿配置部と、原稿を読み取る原稿読取部と、原稿を該原稿配置部から所定の搬送経路に沿って該原稿読取部に搬送する搬送手段とを備え、前記搬送手段により前記原稿読取部に搬送されてきた原稿を搬送中に読み取る原稿読取装置において、
前記原稿読取部による原稿読み取り開始前に該原稿の幅を検知するセンサと、前記センサによる原稿の幅情報のみで原稿のサイズを特定するサイズ特定手段とを備えたことを特徴とする原稿読取装置。
【請求項２】
前記原稿配置部が、複数種類のサイズの原稿の重ね置きを許容するものであることを特徴とする請求項１記載の原稿読取装置。
【請求項３】
前記搬送手段は、前記原稿読取部を通過した原稿を搬送して再び前記原稿読取部に戻す反転経路を有するものであり、
前記センサは、原稿の幅を検知すると共に、該原稿の先端が差し掛かったことおよび該原稿の後端が通過したことを検知することにより該原稿の長さを検知するものであって、
前記センサによる原稿の長さの検知を受けて再読取の必要の有無を判定する再読取判定手段を備え、
前記搬送手段は、前記再読取判定手段による再読取が必要であるとの判定に基づいて、前記原稿を前記反転経路に沿って前記原稿読取部に再搬送するものであることを特徴とする請求項１記載の原稿読取装置。
【請求項４】
前記搬送手段は、前記原稿読取部を通過した原稿を搬送して再び前記原稿読取部に戻す反転経路を有するものであり、
該原稿の先端が差し掛かったことおよび該原稿の後端が通過したことを検知する第２のセンサを搬送路中に配置することにより該原稿の長さを検知するものであって、
前記第２のセンサによる原稿の長さの検知を受けて再読取の必要の有無を判定する再読取判定手段を備え、
前記搬送手段は、前記再読取判定手段による再読取が必要であるとの判定に基づいて、前記原稿を前記反転経路に沿って前記原稿読取部に再搬送するものであることを特徴とする請求項１記載の原稿読取装置。
【請求項５】
この原稿読取装置は、原稿を読み取って画像データを生成するスキャナ機能と、該スキャナ機能により生成した画像データを電送ラインを経由して送信するファックス機能と、該スキャナ機能により生成した画像データに基づく画像を記録用紙上に再生するコピー機能とを有する複合機に内蔵もしくは接続されたものであって、
前記コピー機能を使用する場合には、前記再読取判定手段による判定結果に基づくことなく一律に、前記原稿を前記反転経路に沿って前記原稿読取部に再搬送するものであることを特徴とする請求項３記載の原稿読取装置。
【発明の詳細な説明】
【０００１】
【発明の属する技術分野】
本発明は、搬送されてきた原稿を搬送中に読み取る原稿読取装置に関する。
【０００２】
【従来の技術】
従来より、原稿を読み取って画像データを生成するスキャナ機能と、スキャナ機能によって生成した画像データに基づく画像を記録用紙上に再生するコピー機能と、スキャナ機能により生成された画像データの電送を行なうファックス機能とを備えた複合機が知られている。
【０００３】
このような複合機には、例えばＣＣＤラインセンサのような固体撮像素子が備えられており、スキャナ機能は、この固体撮像素子を含む光学系を用いることで実施されている。
【０００４】
また、複合機に備えられたスキャナ機能には、２つの態様がある。
【０００５】
１つは、光学系を所定の位置に固定し、その固定された光学系に対し原稿のほうを移動させてその原稿を読み取る態様であり、もう１つは、原稿を所定の位置に固定し、固定された原稿に対し光学系の方を移動させてその原稿を読み取る態様である。
【０００６】
多くの複合機では、複合機本体上面の蓋の一部などに、固定された光学系に対し原稿のほうを移動させてその原稿を読み取る態様を実施するための原稿搬送装置が備えられている。尚、もう一方の態様は、複合機本体の上面のガラス台に原稿を置いてその原稿を読み取ることで実施されている。
【０００７】
原稿搬送装置を用いる態様では、所定の原稿台に原稿が置かれ、所定のボタン操作が行なわれると、原稿がその固定された光学系まで搬送され、搬送されてきた原稿が固定された光学系上を通過する際にその原稿の読み取りが行なわれる。
【０００８】
ここで、例えば、Ａ４原稿のＡ３記録用紙への拡大再生と、Ａ３原稿のＡ４記録用紙への縮小再生とを原稿搬送装置での原稿読み取りで得た画像データに基づいて行なう場合、原稿搬送装置では、縮小再生をする場合の原稿の搬送が、拡大再生をする場合の原稿の搬送よりも速く行なわれる。
【０００９】
これは、画像を拡大して再生する場合には、画像を縮小して再生する場合と比べ画像データを多く必要とし、画像を縮小して再生する場合には、画像を拡大して再生する場合と比べ画像データが少なくてすむためである。
【００１０】
したがって、原稿読取装置では、例えば変倍などの画像処理を正確に行なうために、光学系による読み取りが始まる前に、原稿サイズを特定して原稿の搬送速度を決定しなければならない。
【００１１】
そこで、原稿台にセンサを配置し、原稿台に原稿をおいた時点で原稿のサイズを認識できるようにすることが考えられる。
【００１２】
しかし、これでは、原稿が一定サイズである場合はよいが、原稿が複数のサイズが入り乱れた原稿で構成されている場合には、これから読み取ろうとしている原稿とは違う原稿の原稿サイズを認識しているおそれがある。
【００１３】
そこで、このような複数のサイズが入り乱れた、いわゆるミックスサイズ原稿にも対応できるように、原稿が一枚ずつの状態となる、原稿台の原稿を引き込む原稿引き込み位置から光学系配置位置を経て原稿を排出する原稿排出位置に至るまでの搬送経路の搬送中に原稿サイズを認識する提案がされている（特許文献１参照。）。
【００１４】
上記提案の原稿読取装置では、原稿読み取り開始前の原稿サイズ検知のために、原稿引き込み位置から光学系配置位置までの経路長を、その原稿読取装置によって読み取りが可能な最大原稿サイズの長さの半分の長さを越えて少なくとも確保しこの区間にセンサを配置することで原稿の幅と長さの検出が原稿の読み取り前に行なうことができる。原稿引き込み位置からＣＣＤラインセンサまでの搬送経路長にこのような長さが要求されるのは、原稿が、その原稿読取装置で読み取ることのできる最大原稿サイズの原稿であるか否かを判定するためである。
【００１５】
しかし、これだと、この搬送経路長の確保のために装置が大型化してしまうという問題がある。
【００１６】
そこで、搬送経路を一度スルーさせることで原稿サイズの認識のみを行ない、２度目のスルーで原稿の読み取りを行なう原稿読取装置が提案されている（特許文献２参照。）。
【００１７】
このようにすれば、原稿引き込み位置から光学系配置位置までの経路に限らず、原稿引き込み位置から原稿排出位置までの搬送経路全体で、その原稿搬送装置によって読み取りが可能な最大原稿サイズの長さの半分の長さを越えた長さを確保すればよく、これにより、装置の大型化をある程度抑えることが可能となる。
【００１８】
【特許文献１】
特開平２０００−３１４９９１号公報
【特許文献２】
特開平２００１−１３７４０号公報
【００１９】
【発明が解決しようとする課題】
しかし、上記提案のように、１枚の原稿を読み取るのに、搬送経路のスルーを常に複数回行なわねばならない原稿読取装置では、生産性が低くなってしまうという問題がある。
【００２０】
本発明は、上記事情に鑑み、装置の大型化の抑制と生産性の低下の防止とが図られた原稿読取装置を提供することを目的とする。
【００２１】
【課題を解決するための手段】
上記目的を達成するための本発明の原稿読取装置は、
原稿が配置される原稿配置部と、原稿を読み取る原稿読取部と、原稿をこの原稿配置部から所定の搬送経路に沿ってこの原稿読取部に搬送する搬送手段とを備え、上記搬送手段により上記原稿読取部に搬送されてきた原稿を搬送中に読み取る原稿読取装置において、
上記原稿読取部による原稿読み取り開始前にこの原稿の幅を検知するセンサと、
上記センサによる原稿の幅情報のみで原稿のサイズを特定するサイズ特定手段とを備えたことを特徴とする。
【００２２】
ここで、本発明の原稿読取装置の上記原稿配置部が、複数種類のサイズの原稿の重ね置きを許容するものであってもよい。
【００２３】
本発明の原稿読取装置では、例えば、Ａ５、Ｂ５、Ａ４、Ｂ４、Ａ３などのいわゆる定型サイズの原稿が短手を先頭に搬送されるという条件が加われば、原稿サイズの認識は、搬送されてくる原稿の幅の検知のみで正確に行なわれる。また、他の条件が加わったときは、これら原稿の短手を先頭に搬送される様に置かれた原稿、および、原稿の長手を先頭に搬送される様に置かれた原稿の混在を許容することもできる。この「他の条件」については後述する。
【００２４】
また、本発明の原稿読取装置の上記搬送手段は、上記原稿読取部を通過した原稿を搬送して再び前記原稿読取部に戻す反転経路を有するものであり、
本発明の原稿読取装置の上記センサは、原稿の幅を検知すると共に、この原稿の先端が差し掛かったことおよびこの原稿の後端が通過したことを検知することによりこの原稿の長さを検知するものであって、
上記センサによる原稿の長さの検知を受けて再読取の必要の有無を判定する再読取判定手段を備え、
本発明の原稿読取装置の上記搬送手段は、上記再読取判定手段による再読取が必要であるとの判定に基づいて、上記原稿を上記反転経路に沿って上記原稿読取部に再搬送するものであることが好ましい。
【００２５】
あるいは、本発明の原稿読取装置の上記搬送手段は、上記原稿読取部を通過した原稿を搬送して再び上記原稿読取部に戻す反転経路を有するものであり、
この原稿の先端が差し掛かったことおよびこの原稿の後端が通過したことを検知する第２のセンサを搬送経路中に配置することによりこの原稿の長さを検知するものであって、
上記第２のセンサによる原稿の長さの検知を受けて再読取の必要の有無を判定する再読取判定手段を備え、
本発明の原稿読取装置の上記搬送手段は、上記再読取判定手段による再読取が必要であるとの判定に基づいて、上記原稿を上記反転経路に沿って上記原稿読取部に再搬送するものであることも好ましい態様である。
【００２６】
このような「他の条件」を加えると、統一された向きとは異なる向きで搬送されるように原稿配置部に配置された原稿があっても、例えば、原稿サイズに応じて原稿の搬送速度の変更が要求される変倍などの処理も正確に行うことができる。
【００２７】
ここで、本発明の原稿読取装置は、原稿を読み取って画像データを生成するスキャナ機能と、このスキャナ機能により生成した画像データを伝送ラインを経由して送信するファックス機能と、このスキャナ機能により生成した画像データに基づく画像を記録用紙上に再生するコピー機能とを有する複合機に内蔵もしくは接続されたものであって、
上記コピー機能を使用する場合には、上記再読取判定手段による判定結果に基づくことなく一律に、上記原稿を上記反転経路に沿って上記原稿読取部に再搬送するものであってもよい。
【００２８】
原稿読取装置が内蔵あるいは接続された複合機のコピー機能の使用においては、再生する用紙の選択や再生位置までのその用紙の搬送にある程度時間を要するため、原稿から画像データを得るためだけに原稿読取装置で実施されるスキャナ機能や、ファックス機能の実施に先だって原稿読取装置で実施される原稿の読み取りと較べ、原稿の読み取りをそれほど急いで行なう必要がないことから、このように原稿サイズを確実に認識することで、原稿読取部による読み取りを確実に１回で済ますことができる。
【００２９】
【発明の実施の形態】
以下、本発明の原稿読取装置の実施形態について説明する。
【００３０】
図１は、本発明の原稿読取装置の第１実施形態を備えた複合機の外観斜視図である。
【００３１】
図１に示す複合機０には、原稿を読み取って画像データを生成するスキャナ機能と、スキャナ機能によって生成した画像データに基づく画像を記録用紙上に再生するコピー機能と、スキャナ機能により生成された画像データの電送を行なうファックス機能とが備えられている。
【００３２】
図１に示す、複合機０に備えられた読取装置１は、本体部１０と蓋部２０とで構成されており、蓋部２０は、本発明の原稿搬送装置の第１実施形態である搬送装置２２と、本体部１０の上面に備えられた、読取面を下に向けた原稿が配置されるガラス面を覆うための蓋２１とで構成されており、ガラス面に原稿が配置されるときには図１の奥側に向けて開かれる。
【００３３】
また、図１に示す読取装置１には、その本体部内に原稿を読み取るためのＣＣＤラインセンサ３１が備えられており、この読取装置１では、スキャナ機能が２つの態様で実施される。
【００３４】
１つは、ＣＣＤラインセンサを含む光学系を所定の位置に固定し、その固定された光学系に対し原稿のほうを移動させてその原稿を読み取る態様であり、もう１つは、原稿を所定の位置に固定し、その固定された原稿に対し光学系の方を移動させてその原稿を読み取る態様である。
【００３５】
本発明の原稿読取装置の第１実施形態である搬送装置２２では、所定の位置に固定された光学系に対し原稿のほうを移動させて読み取る態様の方が実施されている。
【００３６】
図１に示す搬送装置２２は、読み取る原稿が配置される原稿台２２１と搬送制御部２２２などで構成されており、原稿台２２１は、詳しくは後述する原稿長さセンサ２２１２および図１における奥側の立ち上りである内壁２２１ａが備えられた、Ａ３までのサイズの原稿が搭載可能なものであり、原稿は、短手を先頭に搬送されるように、かつ長手がこの内壁２２１ａに当接されるように置かれる。
【００３７】
図１に示す本体部１０には、この複合機０の電源スイッチ１１および操作パネル１２が示されている。操作パネル１２には、この複合機０が有する機能である、コピー機能、ファックス機能、スキャナ機能を指定するボタン、原稿台に載せらた原稿が単一のサイズである単載であるか、または複数種類のサイズの原稿が混ざった混載であるかを指定するボタン、変倍あるいは用紙のサイズを指示するボタン、部数を指定するテンキー、選択した処理を実施させるために押下される‘スタート’ボタンなどが備えられている。この複合機０では、指示された倍率や用紙サイズに応じて読取り速度が変更された画像処理が行なわれる。
【００３８】
図２は、蓋部が起こされた状態の複合機を示す図である。
【００３９】
図２に示される本体部１０の上面には、ガラス面が２箇所設けられており、面積の小さいほうが、搬送装置２２によって搬送される原稿の読取面１３ａ、面積の大きいほうが、原稿の方を固定し光学系を移動させて原稿の読み取りを行なう際に使用される原稿搭載面１３ｂである。
【００４０】
図２には、蓋部２０の、本体部１０の上面と近接する面が示されており、そのうちの搬送原稿読取面１３ａと近接する部分、すなわち搬送制御部２２２の底部には、搬送されてきた原稿が搬送制御部内部からから一旦出るために通過する第１搬送口２２２２ａ、この第１搬送口を通過した原稿を搬送原稿読取面１３ａに押しつけるための原稿押圧ローラ２２２１、および、読み取りが終了した原稿部分が搬送制御部内部に戻るための第２搬送口２２２２ｂが設けられており、もう一方の原稿搭載面１３ｂと接する部分には、読取面を下に向けた原稿を原稿搭載面１３ｂに押しつけるための原稿押圧シート２１１が取り付けられている。
【００４１】
本実施形態の読取装置２２では、原稿台２２１に置かれた原稿は、搬送制御部２２２内の搬送経路をたどって搬送制御部２２２の底部に設けられた第１搬送口２２２２ａから一旦出て、搬送原稿読取面上を通過し、再び搬送制御部２２２の底部に設けられた第２搬送口２２２２ｂから搬送制御部２２２内の搬送経路に戻り、搬送制御部２２２の後述する排出・引込ローラ２２２８から蓋２１の上面２１ａに排出される。
【００４２】
図３は、本実施形態の読取装置の概念図である。
【００４３】
図３には、搬送制御部２２２、原稿台２２１、ＣＣＤラインセンサ３１が示されている他、搬送原稿読取面１３ａ、原稿搭載面１３ｂ、この読取装置２２から排出された原稿が貯められる蓋２１の上面２１ａも示されている。
【００４４】
搬送制御部２２２は、原稿を公知の方法でこの搬送制御部に引き込むための引き込みローラ２２２３、原稿を所定の曲率半径で曲げるための第１搬送ローラ２２２４ａと第２搬送ローラ２２２４ｂ、前述した原稿押圧ローラ２２２１、原稿を排出するための排出ローラ２２２５、排出・引込ローラ２２２８、排出された原稿を再び第１搬送ローラ２２２４ａに戻すための反転経路２２２６ａ、反転経路２２２６ａの、排出・引込ローラ２２２８に近い部分に備えられた、原稿を排出する方向からの圧力に対しては簡単に跳ね上がり、その逆の原稿を引き込もうとする方向と同じ方向からの力には抵抗する機構を有する第１フラップ２２２６ｂ、第１搬送ローラ２２２４ａと第２搬送ローラ２２２４ｂの間に位置し、搬送経路を横切って配置された３つのセンサで構成される原稿幅センサ２２２７などで構成されている。
【００４５】
原稿台２２１の底部には、図１にも示す原稿長さセンサ２２１２が備えられている。
【００４６】
一度排出されかけた原稿は、排出・引込ローラ２２２８の停止反転機能と、前述した第１フラップ２２２６ｂの機能により、排出ローラ２２２５に誤搬送されることなく、反転経路２２２６ａを辿って通常の搬送経路に戻されることとなる。尚、本実施形態の搬送装置２２で原稿の再読み取りを行う場合、１回だけ反転経路を経て通常の搬送経路に原稿を戻しただけでは原稿は裏返しとなることから、反転経路を経た通常の搬送経路への戻しが２回連続で行なわれる。
【００４７】
搬送制御部２２２に備えられた原稿幅センサ２２２７は、図３の手前から奥に向かって配置された３つのセンサからなり、原稿台２２１の底部に備えられた原稿長さセンサ２２１２は、図１にも示すように、搬送方向と平行な内壁２２１ａと搬送方向と垂直な内壁２２１ｂから離間した位置に配置されている。尚、これら原稿幅センサと原稿長さセンサ２２１２についての詳細は後述する。
【００４８】
図４は、図１に示す複合機の内部構成のうちの、本実施形態の読取装置に関連する内部構成のブロック図である。
【００４９】
図４には、図１に示す操作パネル１２、操作パネル１２に対する操作を検知するＩ／Ｏコントローラ１２ａ、複合機全体の制御を行うＣＰＵ３０、原稿幅センサ２２２７、原稿長さセンサ２２１２、ＣＣＤラインセンサ３１、このＣＣＤラインセンサに対する信号の出力指示や出力された信号をデジタル化するなどの制御を行うＣＣＤ制御処理部３１ａ、ＣＣＤ制御処理部により処理された画像データを記憶するディスク３２、および、原稿幅センサおよび原稿長さセンサから得られた原稿サイズに関する情報を基に原稿サイズを認識するために参照される原稿サイズ決定テーブルが格納されたＲＯＭ３３が示されている。
【００５０】
また、図４には、読み取り中の原稿の原稿長さを演算する原稿長さ演算部３５、反転経路を使用してもう一度原稿の読み取りを行うか否かを判定する再読取判定部３４、ＲＯＭ３３に格納されたテーブルを参照し原稿サイズ検出を行なう原稿サイズ検出部３７、搬送処理判定部により再読み取りが決定された場合に第２フラップの位置を制御するモータ３６、そのモータの制御を行うモータドライバ３６ａも示されている。尚、図４では、搬送制御部２２２で駆動している引込ローラ２２２３、反転ローラ、あるいは排出・引込ローラ２２２８などのモータの図示は省略されている。
【００５１】
原稿長さ演算部３５は、原稿幅センサ２２２７において先端が検知されてからその原稿の後端が通過するまでの時間と、搬送経路における今回の原稿の搬送速度とに基づいて今回搬送された原稿の長さを演算する。
【００５２】
搬送処理判定部３４は、ＲＯＭ３３に格納された原稿サイズ決定テーブルを参照して原稿サイズ検出部３７で決定された原稿サイズと、原稿長さ演算部３５で演算された原稿長さを基に認識された原稿サイズとが異なる場合に、操作パネルに対する操作を考慮して再読み取りを行うか否かを判定する。
【００５３】
ディスク３２には、ＣＣＤラインセンサで得られた信号に基づく画像データが格納されるが、格納されるアドレスについては、図１に示される表示パネルに設けられた変倍・回転処理を指定するボタン操作、および、原稿サイズに応じて変更される。
【００５４】
ここで、ＲＯＭに格納されている原稿サイズ決定テーブルについて説明する。
【００５５】
図５は、原稿幅センサと原稿長さセンサの配置実施例を示す図である。
【００５６】
図５には、原稿幅センサ２２２７を構成する３つの、第１幅センサ２２２７ａ、第２幅センサ２２２７ｂ、第３幅センサ２２２７ｃが示されており、これら３つのセンサは、搬送方向に平行な内壁２２１ａを基準とすると、２００ｍｍの位置、２５０ｍｍの位置、２７０ｍｍの位置にそれぞれ配設されている。
【００５７】
また、図５には、原稿長さセンサ２２１２も示されており、このセンサは、搬送方向に平行な内壁２２１ａから５０ｍｍ、かつ搬送方向に垂直な内壁２２１ｂからは２３０ｍｍの位置に配置されている。
【００５８】
更に、図５には、この読取装置２２によって読み取りが可能な最大サイズであるＡ３サイズの原稿が、短手を先頭に搬送されるように長手が搬送方向に平行な内壁２２１ａに当接されて示されているほか（以下、この状態をＡ３ヨコと称す）、このＡ３を含め定型サイズと呼ばれる、Ｂ４サイズ、Ａ４サイズ、Ｂ５サイズ、Ａ５サイズの原稿が短手を先頭に搬送されるようにやはり長手が搬送方向に平行な内壁２２１ａに当接されて示されている（以下、この状態をＢ４ヨコ、Ａ４ヨコ、Ｂ５ヨコ、Ａ５ヨコと称す）。
【００５９】
また、図５には、原稿のタテとヨコを入れ替えて置かれた場合、すなわち長手を先頭に搬送されるように短手が搬送方向に平行な内壁２２１ａに当接された場合のＡ４サイズ、Ｂ５サイズ、Ａ５サイズの原稿も示されている（以下、この状態をＡ４タテ、Ｂ５タテ、Ａ５タテと称す）。次に、以下の表１に示される原稿サイズ決定テーブルをについて説明する。
【００６０】
【表１】
2004107018.tif 000003
【００６１】
表１には、原稿幅センサと原稿長さセンサからの‘ＯＮ’、‘ＯＦＦ’情報によって、原稿サイズ検出部３７によって参照される原稿サイズ決定テーブルが示されている。尚、このテーブルでは、原稿の存在を検知した場合が‘ＯＮ’で表示され、検知していない場合には‘ＯＦＦ’で表示されている。
【００６２】
この読取装置１において、単載が指定されている場合は、このテーブルによって、Ａ５ヨコ、Ａ５タテ、Ｂ５ヨコ、Ｂ５タテ、Ａ４ヨコ、Ａ４タテ、Ｂ４ヨコ、Ａ３ヨコそれぞれの認識は間違いないものとなる。
【００６３】
しかし、混載が指定されて原稿長さセンサ２２１２が‘ＯＮ’の場合については、原稿幅センサの第１から第３の幅センサがそれぞれ‘ＯＦＦ’、‘ＯＦＦ’、‘ＯＦＦ’の時は、この混載原稿の構成はＢ５ヨコあるいはＡ５ヨコであると考えられるが、ここではサイズが大きい方のＢ５ヨコを原稿サイズと決定している。また、原稿幅センサの第１から第３の幅センサがそれぞれ‘ＯＮ’、‘ＯＦＦ’、‘ＯＦＦ’の時は、この混載原稿は、Ａ４ヨコとＡ５タテのうちＡ４ヨコを、‘ＯＮ’、‘ＯＮ’、‘ＯＦＦ’の時は、Ｂ４ヨコとＢ５タテのうちＢ４ヨコを、‘ＯＮ’、‘ＯＮ’、‘ＯＮ’の時は、Ａ３ヨコとＡ４タテのうちＡ３ヨコを原稿サイズとして決定している。
【００６４】
一方、混載が指定されさらに原稿長さセンサが‘ＯＦＦ’の場合については、原稿幅センサの第１から第３の幅センサがそれぞれ‘ＯＦＦ’、‘ＯＦＦ’、‘ＯＦＦ’の時はＡ５ヨコが唯一決まり、‘ＯＮ’、‘ＯＦＦ’、‘ＯＦＦ’の時はＡ５タテ、‘ＯＮ’、‘ＯＮ’、‘ＯＦＦ’の時はＢ５タテ、‘ＯＮ’、‘ＯＮ’、‘ＯＮ’の時はＡ４タテが唯一決まるため原稿サイズはこれらに間違いないこととなる。
【００６５】
本実施形態の原稿幅センサは、原稿の搬送前に原稿長さセンサからの情報を得て原稿サイズの予測（特定）を行なっているが、原稿の搬送後には、搬送される原稿の先端の通過から原稿の後端の通過を検知しており、これにより、この読取装置２２では、原稿の長さの実測が行なわれている。尚、図５に点線で示すセンサ２２２９をさらに設けることで、原稿の長さをこのセンサ２２２９で検知し、原稿の幅を原稿幅センサでそれぞれ検知してもよい。
【００６６】
図６は、本実施形態の読取装置が起動された時に実効されるルーチンのフローチャートである。
【００６７】
このルーチンは、読取装置２２の原稿台２２１に原稿が置かれ、搬送制御部２２２の引き込みローラ２２２３に対し原稿が当接されると起動する。
【００６８】
まず、ステップＳ１では、図１に示す操作パネル１２に設けられたスタートボタンが押下されたか否かが判定され、まだスタートボタンが押下されていないと判定されるとこのルーチンを繰り返す。
【００６９】
ステップＳ１において、スタートボタンが押下されたと判定されると、ステップＳ２に進み、原稿長さセンサの状態がＯＮかＯＦＦかを確認してから、１枚目の原稿の給送を開始し、幅サイズセンサの位置より下流まで原稿の先端を搬送する。その後、ステップＳ３に進む。
【００７０】
ステップＳ３では、混載原稿の指定がなされているか否か判定される。
【００７１】
ステップＳ３において、指定が混載原稿ではない場合、原稿サイズを決定し、ステップＳ１０で原稿の読み取りを実施した後、このルーチンを終了する。一方、指定が混載原稿である場合、ステップＳ４に進む。
【００７２】
ステップＳ４では、スタートボタンが押下されたときに原稿長さセンサが‘ＯＦＦ’だったか否かが判定され、‘ＯＦＦ’だったと判定されると、混載原稿であっても原稿サイズを決定し、ステップＳ１０で原稿の読み取りを実施した後、このルーチンを終了する。
【００７３】
ステップＳ４において、‘ＯＦＦ’ではなかったと判定されると、ステップＳ５に進み、原稿幅センサからの情報に基づき原稿サイズを仮決定し、原稿の読み取りを実施する。その後、ステップＳ６において、図４に示す原稿長さ演算部３５において演算された現在読み取りが行われている原稿の原稿サイズと、読み取り前に決定した原稿サイズが異なっているか否かが判定される。
【００７４】
ステップＳ６において、原稿サイズは間違っていなかったと判定されると、このルーチンを終了し、原稿サイズは間違っていたと判定されると、ステップＳ７に進み、図１に示す操作パネルによって実施された読取り条件設定が、この原稿サイズが目論みと異なっていたことで影響があるか否かが図４に示す再読取判定部で判定される。
【００７５】
ステップＳ７において、変倍指定による原稿の搬送速度変更や、画像データの回転のための再読み込みの必要がないなどと判定されると、ステップＳ８に進み、原稿サイズ情報の変更だけが行なわれ、画像データはそのまま利用される。
【００７６】
ステップＳ７において、変倍指定による原稿の搬送速度変更や、画像データの回転のための再読み込みの必要などがあると判定されると、ステップＳ９に進み、前述したように一度排出された原稿を２回連続で搬送経路に戻し原稿の再読み取りが行われる。その後、このルーチンは終了される。
【００７７】
次に、本発明の原稿読取装置の第２実施形態について説明する。
【００７８】
本実施形態の読取装置２２００は、図１に示す複合機０に、本発明の読取装置の第１実施形態に代わり内蔵されたものであり、本実施形態の読取装置２２００と第１実施形態の読取装置２２との相違点は、読取装置が起動された時に実効されるルーチンだけである。したがって、本実施形態の読取装置２２００の外観および内部構成については第１実施形態と同じであるため、これら外観および内部構成についての説明は省略する。尚、以下では、第１実施形態と本実施形態では外観および内部構成がおなじであることから、第１実施形態の読取装置２２で付されている符号と同じ符号が付されている。
【００７９】
本実施形態の読取装置２２００で起動されるルーチンも、読取装置２２００の原稿台２２１の原稿が搬送制御部２２２の引き込みローラ２２２３に対し当接されると起動する。
【００８０】
図７は、本実施形態の読取装置が起動された時に起動されるルーチンのフローチャートである。
【００８１】
まず、ステップＳ１では、本実施形態の読取装置２２００が内蔵された複合機０が有する機能のうちコピー機能が選択されているか否かが判定される。
【００８２】
ステップＳ１において、コピー機能が選択されていると判定されると、ステップＳ２に進み、コピー機能が選択されていることを意味するコピーフラッグのアサートが行なわれ、その後、ステップＳ４に進む。
【００８３】
ステップＳ１において、コピー機能が選択されていない、すなわちファックス機能あるいはスキャナ機能が選択されていると判定されると、ステップＳ３に進み、コピーフラッグのネゲートが行なわれる。その後、ステップＳ４に進む。
【００８４】
ステップＳ４では、スタートボタンの押下があったか否かが判定され、いまだ押下されていないと、ステップＳ１に戻り、押下されていると判定されると、ステップＳ５に進む。
【００８５】
ステップＳ４において、スタートボタンが押下されたと判定されると、ステップＳ５に進み、原稿長さセンサの状態がＯＮかＯＦＦかを確認してから、１枚目の原稿の給送を開始し、幅サイズセンサーの位置より下流まで原稿の先端を搬送する。その後、ステップＳ６に進む。
【００８６】
ステップＳ６では、混載原稿の指定がなされているか否か判定される。
【００８７】
ステップＳ６において、指定が混載原稿ではない場合、原稿サイズを決定し、ステップＳ１６で原稿の読み取りを実施した後、このルーチンを終了する。一方、指定が混載原稿である場合、ステップＳ７に進む。
【００８８】
ステップＳ７において、コピーフラッグがアサートされていないと判定されると、ステップＳ８に進むが、このステップＳ８からステップＳ１３までの説明は、図６に示すステップＳ４からステップＳ９までと同じ説明となるので省略する。
【００８９】
ステップＳ７において、コピーフラッグがアサートされていると判定されると、ステップＳ１４に進み、原稿幅センサおよび原稿長さセンサからの情報による原稿サイズ決定テーブルによる原稿サイズの決定は行なわれずに、原稿幅センサからの情報に基づき図４に示す原稿長さ演算部における原稿サイズの正確な検出を行い、原稿の読み取りは行なわれない。その後ステップＳ１５に進む。
【００９０】
ステップＳ１５では、反転経路を２回通過させ読取面を元に戻し、原稿の読み取りのみが行なわれる。その後、このルーチンを終了する。
【００９１】
本発明の読取装置の第２実施形態では、上述したように、原稿台に原稿が載せられコピー機能の選択下で混載の指定が行なわれた場合には、原稿長さセンサの‘ＯＮ’および‘ＯＦＦ’に関わらず、原稿幅センサによる、原稿の幅情報と、原稿幅センサで検知される原稿の通過情報に基づく原稿長さ演算部による原稿の長さ情報とにより原稿サイズの特定のみが行なわれ原稿の読み取りは行なわれない。これは、コピーは、ファックスあるいはスキャンと異なり記録用紙が必要であり、原稿の読み取りばかりが速くても肝心の記録用紙が届いていなければ意味が無いことを考慮したためである。このようにすることで、混載が指定され、原稿長さセンサが‘ＯＮ’されていた場合にありうる原稿サイズの誤認識による再読取を行なわずに済ますことができる。
【００９２】
上述した、本発明の原稿読取装置の第１実施形態および第２実施形態では、これら原稿の搬送される向きが統一されていることを条件に、搬送されてくる原稿の幅の検知のみで原稿サイズの認識が正確に行なわれる。さらには、搬送される向きが統一されていない原稿が混載されていても、例えば、原稿サイズに応じて原稿の搬送速度の変更が要求される変倍などの処理も正確に行うことができる。
【００９３】
これら実施形態によれば、原稿読取部までの搬送経路について、読取可能な最大サイズの原稿を判別するための経路長を必要とせず、また、原稿の読み取りも搬送経路への一度の搬送で行なわれることから、装置の大型化の抑制および生産性の低下の防止を図ることができる。
【００９４】
【発明の効果】
以上説明したように、本発明の原稿読取装置によれば、装置の大型化の抑制と生産性の低下の防止とが図ることができる。
【図面の簡単な説明】
【図１】本発明の原稿読取装置の第１実施形態を内蔵する複合機の外観斜視図である。
【図２】蓋部が起こされた状態の複合機を示す図である。
【図３】本実施形態の原稿読取装置の概念図である。
【図４】図１に示す複合機の内部構成のうちの、本実施形態の読取装置に関連する内部構成のブロック図である。
【図５】原稿幅センサと原稿長さセンサの配置を示す図である。
【図６】本実施形態の読取装置が起動された時に実効されるルーチンのフローチャートである。
【図７】本実施形態の読取装置が起動された時に実効されるルーチンのフローチャートである。
【符号の説明】
０　複合機
１０　本体部
１１　電源スイッチ
１２　操作パネル
１２ａ　Ｉ／Ｏコントローラ
１３ａ　搬送原稿読取面
１３ｂ　原稿搭載面
２０　蓋部
２１　蓋
２１ａ　上面
２１１　原稿押圧シート
２２　読取装置
２２１　原稿台
２２１ａ、２２１ｂ　内壁
２２１２　原稿長さセンサ
２２１３　支持部材
２２１４　反転用ローラ
２２１５　第２フラップ
２２１５ａ　軸
２２１５ｂ、２２１５ｃ　部分
２２１５ｄ　接触ローラ
２２２　搬送制御部
２２２１　原稿押圧ローラ
２２２２ａ　第１搬送口
２２２２ｂ　第２搬送口
２２２３　引き込みローラ
２２２４ａ　第１搬送ローラ
２２２４ｂ　第２搬送ローラ
２２２５　排出ローラ
２２２６ａ　反転経路
２２２６ｂ　第１フラップ
２２２７　原稿幅センサ
２２２８　排出・引込ローラ
３０　ＣＰＵ
３１　ＣＣＤラインセンサ
３１ａ　ＣＣＤ制御処理部
３２　ディスク
３３　ＲＯＭ
３４　再読取判定部
３５　原稿長さ演算部
３６　モータ
３６ａ　モータドライバ
【図１】
2004107018.tif 000004
【図２】
2004107018.tif 000005
【図３】
2004107018.tif 000006
【図４】
2004107018.tif 000007
【図５】
2004107018.tif 000008
【図６】
2004107018.tif 000009
【図７】
2004107018.tif 000010